(57)【特許請求の範囲】
【請求項１】
配電線に設置されて、線路電圧をタップ切換により調整する自動電圧調整装置に用いられ、タップ切換手段を、半導体スイッチを用いて任意のタップ位置へ一回で切換えることを可能とした半導体タップ切換器に対して、平均的な電圧偏差に応じて目的のタップ位置に一回で切換える指令を出力するように構成したことを特徴とする電圧調整継電器。
【請求項２】
前記平均的な電圧偏差は、基準電圧と配電線電圧の差（電圧偏差）を積分し、積分を開始してからその積分値が当該電圧調整継電器の整定値を超過するまでの時間（積分時間）を計測して、前記積分値を前記積分時間で除すことにより求め、この平均的な電圧偏差と１タップ電圧から目的のタップ位置を決定することを特徴とする請求項１記載の電圧調整継電器。
【請求項３】
前記基準電圧は不感帯を考慮せず、あるいは、不感帯を考慮して決定することができることを特徴とする請求項２記載の電圧調整継電器。
【請求項４】
前記平均的な電圧偏差は、基準電圧と配電線電圧の差（電圧偏差）を積分し、積分を開始してからその積分値が当該電圧調整継電器の整定値を超過するまでの時間（積分時間）を計測して、前記積分値を前記積分時間で除すことにより求め、この平均的な電圧偏差と１タップ電圧および不感帯の値から目的のタップ位置を決定することを特徴とする請求項１記載の電圧調整継電器。
【請求項５】
定限時特性の電圧調整継電器を組み合わせて構成したことを特徴とする請求項１乃至請求項４の何れかに記載の電圧調整継電器。
【発明の詳細な説明】
【技術分野】
【０００１】
本発明は、サイリスタ式の自動電圧調整装置に好適な電圧調整継電器（９０リレー）に関する。
【背景技術】
【０００２】
従来から、変電所からの送出電圧の調整を行うだけでは、高圧配電線網の電圧降下や電圧変動を総合的に補正・調整することが難しいため、配電線電圧を調整する機器として、ＳＶＲ（Step Voltage Regulator）などの高圧自動電圧調整器（以下、単に電圧調整器という）が必要な区間毎に設置されている。
【０００３】
前記電圧調整器は、一般に電圧調整変圧器とタップ切換器、その制御装置によって構成され、高圧配電線路における線路電圧の降下を補償するとともに、二次電圧（負荷側電圧）の変動に対応して、制御装置からの切換指令により、一次電圧側のタップをタップ切換器によって適宜切換えて、二次電圧を予め設定した基準電圧に調整する。
【０００４】
前記制御装置の切換指令は、電圧調整継電器（以下、単に９０リレーという）から与えられるものであり、電圧調整継電器の限時特性には、周知のとおり、定限時型と積分型（反限時型）の２種類がある（例えば、下記非特許文献１参照）。
【先行技術文献】
【特許文献】
【０００５】
【非特許文献１】愛知電機技報Ｎｏ.２３、平成１２年３月２１日発行、ｐ．１０
【０００６】
前述したＳＶＲに用いられている電圧調整継電器（９０リレー）は定限時型が多い。これは、ＳＶＲのタップ切換には機械式接点が用いられており、１タップずつの昇圧／降圧切換しかできないため、目的のタップに切換えるまでに時間がかかり、積分型（反限時型）を採用するメリットが少ないからである。
【０００７】
つまり、ＳＶＲの電圧調整継電器（９０リレー）に積分型（反限時型）を採用した場合、急激な電圧変動に対しては定限時型より早く動作するものの、１タップずつしか切換ができないので、結局、電圧調整に時間がかかってしまうことは変わらない。
【０００８】
図８（ａ）にＳＶＲに用いられている９０リレーＢ１の制御ブロック図（不感帯なし）を示す。同図（ｂ）は９０リレーＢ１の昇圧指令または降圧指令出力後の制御動作を示している。
【０００９】
以下、９０リレーＢ１の構成について説明する。９０リレーＢ１は、電圧検出用トランス１０２を介して高圧配電線の電圧値（実効値）を検出する電圧検出手段１０１、該電圧検出手段１０１が出力する電圧値Vf（実効値）と基準電圧Vrefの差分ΔV（電圧偏差）を演算する加え合せ点１０３ａ、後述する開始指令が入力されたときから停止指令が入力されるまでの間、電圧偏差ΔVの積分値を演算する積分器１０４ａ，１０４ｂ、積分器１０４ａ，１０４ｂによる積分値を制限するリミタ１０５ａ，１０５ｂ、リミタ１０５ａ，１０５ｂを介して出力される積分値を入力して、当該積分値をリレー整定値S90setと比較する比較器１０６ａ，１０６ｂによって構成されている。
【００１０】
比較器１０６ａ，１０６ｂは、積分値がリレー整定値S90setを超えたときに１タップ分の昇圧指令または降圧指令を出力する。リミタ１０５ａ，１０５ｂによる積分値の制限は、昇圧側（積分器１０４ａ）の積分値は負になったら０にリミットし、降圧側（積分器１０４ｂ）の積分値は正になったら０にリミットする。また、そのタイミングで０にリミットした側の積分器をリセットする。
【００１１】
これは、電圧偏差ΔV＜０のとき積分値は減少していき、ΔV＞０のときは増加していくが、ΔV＜０が継続して昇圧側の積分値が負になっていると、ΔV＞０に変化した場合、積分値が負から正になるまでに時間がかかり、タップ切換までに時間がかかってしまう。そこで、ΔV＜０が継続して昇圧側の積分値が減少しても０にリミットすることにより、ΔV＞０に変化したときに、それに応じた時間で切換動作できるようにしたものである。降圧側も同様の理由により、積分値が正になったら０にリミットするものである。
【００１２】
以上のように構成された９０リレーＢ１は、比較器１０６ａ，１０６ｂが出力する昇圧指令または降圧指令が、図８（ｂ）に示すように入力されると（ステップＳ１）、タップ切換を開始してその完了を待つ（ステップＳ２）。また、タップ切換中は、図８（ａ）の積分器１０４ａ，１０４ｂによる演算を停止すべく、停止指令を積分器１０４ａ，１０４ｂに出力し（ステップＳ３）、積分器１０４ａ，１０４ｂの積分動作を停止させる。
【００１３】
タップ切換が完了（ステップＳ２）したら、積分器１０４ａ，１０４ｂをリセットする（ステップＳ４）ことにより、次回の積分演算に備える。
【００１４】
これとともに、タップ切換後は高圧配電線電圧が安定するのを待ち（ステップＳ５）、安定したら、積分器１０４ａ，１０４ｂに、積分開始指令を出力する（ステップＳ６）。その後は、再び、図８（ａ）に示す電圧検出手段１０１による高圧配電線電圧の検出動作に戻り、以降、同様の動作を繰り返す。
【００１５】
図９（ａ）は、ＳＶＲに用いられている９０リレーＢ２の制御ブロック図（不感帯あり）を示す。同図（ｂ）は９０リレーＢ２の昇圧指令または降圧指令出力後の制御動作を示している。
【００１６】
図９（ａ）に示す９０リレーＢ２の構成は、図８（ａ）に示す９０リレーＢ１と概ね同じであり、同一の構成要素については同一符号を付して説明は割愛する。なお、図９（ｂ）に示す昇圧指令または降圧指令出力後の制御動作についても図８（ｂ）と同様であるので説明は割愛する。
【００１７】
図９に示す９０リレーＢ２は、前述したとおり、不感帯（−ΔVd〜ΔVd）を設けており、加え合せ点１０３ａに入力する基準電圧をVref−ΔVdとし、これとは別に、積分器１０４ｂに入力する電圧偏差ΔVdownを演算するためにもう１つ加え合せ点１０３ｂを設け、これに入力する基準電圧をVref＋ΔVdとしている。
【００１８】
いずれの９０リレーＢ１，Ｂ２も、１タップずつ昇圧または降圧するＳＶＲには好適な構成である。
【発明の概要】
【発明が解決しようとする課題】
【００１９】
近年、低炭素社会の実現に向けて、再生可能エネルギーの大量導入が進められている。また、平成２３年３月に発生した東北地方太平洋沖地震による電力供給不安から、国内の再生可能エネルギーへの転換の機運は更に高まってきた。
【００２０】
再生可能エネルギーが配電系統に大量に連系されると、急激な電圧変動が発生する恐れがある。前述したとおり、ＳＶＲでは１タップずつしか切換ができないので、急激な電圧変動への対応は難しい。
【００２１】
そこで、近年、電圧調整を高速かつ多頻度に行え、急激な電圧変動への対応が可能なサイリスタ式自動電圧調整器（ＴＶＲ：Thyristor type Step Voltage Regulator）が注目されている。
【００２２】
前記ＴＶＲにも電圧調整継電器（９０リレー）が用いられており、ＴＶＲが有する高速タップ切換や飛越タップ切換を活かすには積分型（反限時型）を採用することが適切である。しかし、従来のＳＶＲに用いられていた積分型（反限時型）の９０リレーは、図８（ａ），図９（ａ）に示すとおり、１タップずつの切換しかできないので、ＴＶＲの特長を活かすことができない。
【００２３】
そこで、本発明では、ＴＶＲに好適な積分型（反限時型）の９０リレーを簡単な構成で実現することを目的とする。
【課題を解決するための手段】
【００２４】
請求項１記載の発明は、配電線に設置されて、線路電圧をタップ切換により調整する自動電圧調整装置に用いられ、タップ切換手段を、半導体スイッチを用いて任意のタップ位置へ一回で切換えることを可能とした半導体タップ切換器に対して、平均的な電圧偏差に応じて目的のタップ位置に一回で切換える指令を出力する電圧調整継電器を備えて構成したことに特徴を有する。
【００２５】
請求項２記載の発明は、請求項１記載の電圧調整継電器において、基準電圧と配電線電圧の差（電圧偏差）を積分し、積分を開始してからその積分値が当該電圧調整継電器の整定値を超過するまでの時間（積分時間）を計測して、前記積分値を前記積分時間で除すことにより平均的な電圧偏差を求め、この平均的な電圧偏差と１タップ電圧から目的のタップ位置を決定することに特徴を有する。
【００２６】
請求項３記載の発明は、請求項２に記載の電圧調整継電器において、不感帯を考慮せず、あるいは、不感帯を考慮して基準電圧を決定することができることに特徴を有する。
【００２７】
請求項４記載の発明は、請求項１記載の電圧調整継電器において、基準電圧と配電線電圧の差（電圧偏差）を積分し、積分を開始してからその積分値が当該電圧調整継電器の整定値を超過するまでの時間（積分時間）を計測して、前記積分値を前記積分時間で除すことにより平均的な電圧偏差を求め、この平均的な電圧偏差と１タップ電圧および不感帯の値から目的のタップ位置を決定することに特徴を有する。
【００２８】
請求項５記載の発明は、請求項１乃至請求項４の何れかに記載の電圧調整継電器と、定限時特性の電圧調整継電器を組み合わせて構成したことに特徴を有する。
【発明の効果】
【００２９】
請求項１記載の発明によれば、平均的な電圧偏差に応じてＴＶＲを最適なタップに一回で切換えることができるので、配電線の電圧調整を素早くできる。
【００３０】
請求項２記載の発明によれば、電圧偏差の積分開始からその積分値が９０リレーの整定値を超過するまでの時間（積分時間）を計測し、前記積分値を前記積分時間で除した値を平均的な電圧偏差とする。そして、前記平均電圧偏差と１タップ電圧からタップ位置を決定することにより、一回で最適なタップに切換えることができるので、最適な電圧調整ができる。
【００３１】
請求項３記載の発明によれば、不感帯を考慮して基準電圧を決定すれば、電圧偏差が小さい場合にタップ切換を抑制することができる。
【００３２】
請求項４記載の発明によれば、基準電圧に不感帯を考慮しなくても、電圧偏差が小さい場合にタップ切換を抑制することができる。
【００３３】
請求項５記載の発明によれば、定限時特性の電圧調整継電器と組み合わせることにより、電圧偏差ΔVが大きい場合は、定限時特性によって、より高速に基準電圧に調整することが可能となる。
【図面の簡単な説明】
【００３４】
【図１】本発明の第１実施例に係るＴＶＲに用いられる積分型リレー（不感帯なし）の制御ブロック図および昇圧指令または降圧指令出力後の制御動作である。
【図２】本発明の第１実施例に係るＴＶＲに用いられる積分型リレー（不感帯なし）の時限特性を表すグラフである。
【図３】本発明の第２実施例に係るＴＶＲに用いられる積分型リレー（不感帯あり）の制御ブロック図である。
【図４】本発明の第２実施例に係るＴＶＲに用いられる積分型リレー（不感帯あり）の時限特性を表すグラフである。
【図５】本発明の第３実施例に係るＴＶＲに用いられる積分型リレー（不感帯あり）の時限特性を表すグラフである。
【図６】本発明の第４実施例に係るＴＶＲに用いられる積分型リレーと定限時型リレーを組み合わせた場合の説明図である。
【図７】本発明の第４実施例に係るＴＶＲに用いられる積分型リレーと定限時型リレーを組み合わせた場合の時限特性を表すグラフである。
【図８】従来のＳＶＲに用いられる積分型リレー（不感帯なし）の制御ブロック図および昇圧指令または降圧指令出力後の制御動作である。
【図９】従来のＳＶＲに用いられる積分型リレー（不感帯あり）の制御ブロック図および昇圧指令または降圧指令出力後の制御動作である。
【発明を実施するための形態】
【００３５】
本発明の第１実施例を図１により説明する。図１（ａ）は本発明に係るＴＶＲに用いられる電圧調整継電器（９０リレー）Ａ１の制御ブロック構成を示しており、同図（ｂ）は９０リレーＡ１の昇圧指令または降圧指令出力後の制御動作を示している。図１（ａ）において、１は電圧検出用トランス２を介して高圧配電線の電圧値（実効値）を検出する電圧検出手段であり、３ａは電圧検出手段１から出力される電圧値Vf（実効値）と基準電圧Vrefの差分ΔV（電圧偏差）を演算する加え合せ点である。
【００３６】
４ａ，４ｂは、後述する開始指令が入力されてから停止指令が入力されるまで電圧偏差ΔVの積分値を演算する積分器であり、５ａ，５ｂは、積分器４ａ，４ｂによる積分値を制限するリミタである。リミタ５ａ，５ｂによる積分値の制限は、昇圧側（積分器４ａ）の積分値が負になったタイミングで０にリミットし、降圧側（積分器４ｂ）の積分値が正になったタイミングで０にリミットする。また、そのタイミングで０にリミットした側の積分器をリセットする。
【００３７】
これは、電圧偏差ΔV＜０のとき積分値は減少していき、ΔV＞０のときは増加していくが、ΔV＜０が継続して昇圧側の積分値が負になっていると、ΔV＞０に変化した場合、積分値が負から正になるまでに時間がかかり、タップ切換までに時間がかかってしまう。そこで、ΔV＜０が継続して昇圧側の積分値が減少していって負になった場合に０でリミットすることにより、ΔV＞０に変化したときに、それに応じた時間で切換動作できるようにしたものである。降圧側も同様の理由により、積分値が正になったら０でリミットするものである。
【００３８】
６ａ，６ｂは、リミタ５ａ，５ｂを介して出力される積分値を入力して、当該積分値をリレー整定値S90setと比較する比較器であり、比較器６ａ，６ｂは、積分値がリレー整定値S90setを超えたときに昇圧指令または降圧指令を出力する。
【００３９】
また、積分器４ａ，４ｂによる演算値（積分値）は、リミタ５ａ，５ｂを介して昇圧側積分値S90u及び降圧側積分値S90dとしてそれぞれ出力される。
【００４０】
つづいて、９０リレーＡ１の動作を、同図（ｂ）以下に示す昇圧指令または降圧指令出力後の制御動作に基づき説明する。比較器６ａ，６ｂから昇圧指令または降圧指令が出力（図１（ｂ）のステップＳ１）されると、タップ切換が開始され切換完了を待つ（ステップＳ２）。また、タップ切換中は配電線電圧が過渡的な状態になるので、図１（ａ）の積分器４ａ，４ｂによる演算を停止すべく、停止指令を積分器４ａ，４ｂに出力し（ステップＳ３）、積分器４ａ，４ｂの積分動作を停止する。
【００４１】
ここで、積分器４ａ，４ｂによる積分開始から停止までの時間（積分時間T90という）は、同図（ｃ）に示すように、後述する積分開始指令が入力されてから前記積分停止指令が入力されるまでの時間をカウントすることにより求める（ステップＳ１１）。
【００４２】
図１（ｂ）のステップＳ２において、タップを何タップ切換えるかは、同図（ｅ）で演算する。まず同図（ｄ）において、図１（ａ）に示すリミタ５ａ，５ｂを介して出力される昇圧側積分値S90uまたは降圧側積分値S90dを前述した積分時間T90で除算することにより、平均電圧偏差ΔV90aveを求める（ステップＳ２１）。
【００４３】
そして、同図（ｅ）に示すように、平均電圧偏差ΔV90aveの正負に応じてステップＳ３１に示す演算を実行し、必要となる切換タップ数Ｎを算出する。
【００４４】
その後、切換タップ数Ｎがタップの上限または下限に達しているか判断し（ステップＳ３２）、達していなければ、切換タップ数Ｎを切換タップ数指令Ｎ´とし、達している場合は、その上限または下限までのタップ数を切換タップ数指令Ｎ´とする制限演算を行う。切換タップ数指令Ｎ´はＴＶＲ本体へ出力し、Ｎ´タップ切換を実行する。
【００４５】
このようにして、図１（ｂ）のステップＳ２に示すタップ切換が完了したら、図１（ａ）に示す積分器４ａ，４ｂをリセットする（ステップＳ４）ことにより、次の積分演算に備える。
【００４６】
また、ステップＳ５において、タップ切換後に高圧配電線電圧が安定するのを待ち、安定した後、ステップＳ６において積分器４ａ，４ｂへ積分開始指令を出力する。その後は、再び、図１（ａ）に示す電圧検出手段１による高圧配電線電圧の検出動作に戻り、以降、同様の動作を繰り返す。
【００４７】
参考として、図２に９０リレーＡ１の限時特性を示す。９０リレーＡ１は不感帯を設けておらず、切換タップ数指令Ｎ´が昇圧側１〜６、降圧側−１〜−６で、１タップ電圧を７０［V］としている。図２中に記載した数式で表されるような積分限時特性（反限時特性）でタップ切換えすることが可能であるので、ＴＶＲが有する高速タップ切換や飛越タップ切換を活かして、電圧調整することが可能となる。
【００４８】
また、図１に示す９０リレーＡ１は、積分器の演算が真の積分特性となる。この点、各タップに対応する複数個の不感帯と積分器を設け、電圧偏差が不感帯に入った場合、積分値をリセットする方式の９０リレーも存在するが（例えば、当社による先の出願：特願２０１９−６２１７８）、当該先の出願と比較して、本案では不感帯に入っても積分値をリセットせずに積分を継続する。例えば昇圧側の積分では、電圧偏差が不感帯に入ると（例えば図９（ａ）でΔVup＜０）積分値が減少するが、再び不感帯を超えると（ΔVup＞０）積分値はその時点の値から増加に転じる。したがって、積分値がリレー整定値を超える時間は、リセットする場合より短くなる。このように、本来の積分動作により電圧調整を短時間で行うことができる。
【００４９】
また、先の出願がタップごとに不感帯や積分器、比較器を必要とするのに対し、本案では昇圧側の積分器４ａと降圧側の積分器４ｂなどをそれぞれ１つずつ用意すればよく、構成が簡易となる。
【００５０】
以上説明したように、本発明の９０リレーＡ１においては、高速タップ切換や飛越タップ切換といったＴＶＲの特長を活かすことができるとともに、従来と比較して簡単に構成することができる。
【００５１】
また、平均電圧偏差から切換タップ数指令Ｎ´を決定するので、電圧偏差の時間的推移を考慮した最適な切換タップ数を求めることができる。つまり、配電系統電圧の一定時間内の平均値を短時間に基準電圧に近づけることができる。これは、一定時間平均で管理している配電系統の電圧管理方法とも整合性が取れる。
【００５２】
図３は本発明の第２実施例を示している。同図は、第２実施例に係る９０リレーＡ２の制御ブロック構成を示している。なお、９０リレーＡ２の昇圧指令または降圧指令出力後の制御動作は図１（ｂ）〜（ｅ）と同様であるので図示及び説明を省略する。また、図３において、図１（ａ）と同一の構成要素は同一符号を付し、その説明を割愛する。
【００５３】
図１（ａ）に示す９０リレーＡ１と異なるところは、図３の９０リレーＡ２は不感帯（−ΔVd〜ΔVd）を設けており、加え合せ点３ａに入力する基準電圧をVref−ΔVdとし、これとは別に、積分器４ｂに入力する電圧偏差ΔVdownを演算する目的で、もう１つ加え合せ点３ｂを設け、これに入力する基準電圧をVref＋ΔVdとした点である。
【００５４】
つまり、電圧偏差ΔVが小さい（−ΔVd≦ΔV≦ΔVd）ときに電圧調整を抑制する場合は、不感帯（−ΔVd〜ΔVd）を設けた図３に示す制御ブロック構成とすることにより、不必要な電圧調整動作を抑制することができる。
【００５５】
図４に、図３に示す９０リレーＡ２の限時特性を示す。不感帯（−ΔVd〜ΔVd）があり、切換タップ数指令Ｎ´が昇圧側１〜６、降圧側−１〜−６で、１タップ電圧を７０［V］としている。図４中に記載した数式で表されるような積分限時特性（反限時特性）により、短時間で電圧調整を実現できる。
【００５６】
つづいて、本発明の第３実施例について説明する。第３実施例は電圧偏差ΔVが小さい場合にタップ切換を抑制する別の方法である。電圧偏差ΔVが小さい場合のタップ切換を抑制するには、図３の第２実施例のように不感帯を設ける方法があるが、これとは別の方法として、何タップ動かすかの計算を次のようにする方法がある。なお、［］はガウス記号である。
【００５７】
ΔV90ave≧ΔVdの場合、Ｎ＝［（ΔV90ave−ΔVd］／Vtap］＋１
ΔVd＞ΔV90ave＞−ΔVdの場合、Ｎ＝０
ΔV90ave＝−ΔVdの場合、Ｎ＝−１
ΔV90ave＜−ΔVdの場合、Ｎ＝［（ΔV90ave＋ΔVd］／Vtap］
【００５８】
これにより、不感帯を設けなくても電圧偏差ΔVが小さい場合にタップ切換を抑制することが可能となる。なお、この場合の限時特性は図５のようになる。
【００５９】
また、本発明は、図１，図３に示す９０リレーＡ１，Ａ２や図５に示す限時特性の９０リレーと定限時特性のリレーを組み合わせても良い。（本発明の第４実施例）。
【００６０】
図６は５タップ以上の切換を定限時特性とする場合の制御ブロック図である。つまり、図１や図３に示す９０リレーＡ１，Ａ２の制御ブロック構成に加え、図６に示すように、５タップ未満を不感帯（−ΔV5d〜ΔV5d）とし、電圧検出手段１で検出した高圧配電線電圧Vf（実効値）と基準電圧Vref−ΔV5dを比較し、高圧配電線電圧Vfが基準電圧Vref−ΔV5dより低い場合に動作指令を出力する比較器１０６ｃと、電圧検出手段１で検出した高圧配電線電圧Vf（実効値）と基準電圧Vref＋ΔV5dを比較し、高圧配電線電圧Vfが基準電圧Vref＋ΔV5dより高い場合に動作指令を出力する比較器１０６ｄおよび比較器１０６ｃ，１０６ｄの出力を受け、遅延時間Tdを経過した後に５タップ昇圧指令や５タップ降圧指令を出力する動作遅延手段１０７を備える。
【００６１】
さらに、６タップ未満を不感帯（−ΔV6d〜ΔV6d）とし、電圧検出手段１で検出した高圧配電線電圧Vf（実効値）と基準電圧Vref−ΔV6dを比較し、高圧配電線電圧Vfが基準電圧Vref−ΔV6dより低い場合に動作指令を出力する比較器１０６ｅと、電圧検出手段１で検出した高圧配電線電圧Vf（実効値）と基準電圧Vref＋ΔV6dを比較し、高圧配電線電圧Vfが基準電圧Vref＋ΔV6dより高い場合に動作指令を出力する比較器１０６ｆおよび比較器１０６ｅ，１０６ｆの出力を受け、遅延時間Tdを経過した後に６タップ昇圧指令や６タップ降圧指令を出力する動作遅延手段１０７を備える。
【００６２】
そして、５タップ切換の昇圧指令および降圧指令と６タップ切換の昇圧指令および降圧指令が競合した場合は、タップ数の大きい指令を採用するように構成する。なお、この場合の時限特性は図７のようになる。これにより、電圧偏差ΔVが５タップ以上と大きい場合には、定限時特性によって、より高速に基準電圧に調整することが可能となる。
【００６３】
以上説明したように、本発明の電圧調整継電器によれば、ＴＶＲの特長である高速タップ切換や飛越タップ切換に対応することができ、かつ、その構成を簡単にすることができる。
【産業上の利用可能性】
【００６４】
サイリスタ式の自動電圧調整器に利用可能である。
【符号の説明】
【００６５】
１，１０１  電圧検出手段
２，１０２  電圧検出用トランス
３ａ，３ｂ，１０３ａ，１０３ｂ  加え合わせ点
４ａ，４ｂ，１０４ａ，１０４ｂ  積分器
５ａ，５ｂ，１０５ａ，１０５ｂ  リミタ
６ａ，６ｂ，１０６ａ〜１０６ｆ  比較器
１０７  動作遅延手段
Ａ１，Ａ２  本発明の電圧調整継電器
Ｂ１，Ｂ２  従来の電圧調整継電器
【図１】
0006891225.tif 000002
【図２】
0006891225.tif 000003
【図３】
0006891225.tif 000004
【図４】
0006891225.tif 000005
【図５】
0006891225.tif 000006
【図６】
0006891225.tif 000007
【図７】
0006891225.tif 000008
【図８】
0006891225.tif 000009
【図９】
0006891225.tif 000010